(57)【要約】【課題】電池の装着時に、簡易な作業により時刻設定が可能なリモコン装置を提供することを目的とする。【解決手段】電池により作動して機器本体の作動開始と作動停止を遠隔操作し、計時手段によるタイマ運転の設定が可能なリモコン装置において、電池が装着されて作動を開始したときに、強制モード設定手段は、ＳＴＥＰ１で計時初期値を液晶表示器に表示し、ＳＴＥＰ２で監視タイマをスタートすると共に、Ｔime Ｓetスイッチの操作によらずにＵＰスイッチ及びＤＯＷＮスイッチによる計時開始初期値の設定が可能な「時刻設定モード」とする。また、ＳＴＥＰ３でＵＰスイッチ又はＤＯＷＮスイッチが操作されることなくＳＴＥＰ６で監視タイマがタイムアップしたときには、ＳＴＥＰ７に進んで、強制モード設定手段は「時刻設定モード」からＯＮ／ＯＦＦスイッチによる機器本体の操作が可能な「運転指示モード」に切換える。【選択図】  図３
2006112823.tif 000002
【特許請求の範囲】
【請求項１】
電池により作動して機器本体の作動開始と作動停止を遠隔操作するリモコン装置であって、該機器本体との間で通信を行う通信手段と、使用者の操作により該機器本体の作動開始と作動停止を指示するための作動指示手段と、計時手段と、使用者の操作により該計時手段の計時初期値を設定するための時刻設定手段と、使用者の操作により、前記作動指示手段による指示が可能であって前記時刻設定手段による計時初期値の設定が不能な運転指示モードと、前記作動指示手段による作動指示が不能であって前記時刻設定手段による計時初期値の設定が可能な時刻設定モードとを切換えるモード切換手段と、前記作動指示手段が操作されたときに前記機器本体に対して運転開始又は運転停止を指示する制御信号を送信する運転制御手段と、前記計時手段による計時時刻が所定のタイマ設定時刻となったときに前記機器本体の運転開始又は運転停止を行うタイマ運転の設定をするタイマ制御手段とを備えたリモコン装置において、
電池が装着されたときに、前記モード切換手段によらずに前記時刻設定モードとする強制モード設定手段を備えたことを特徴とするリモコン装置。
【請求項２】
前記強制モード設定手段は、電池が装着された時点から所定時間内に、使用者により前記時刻設定手段による計時初期値の設定操作がなされなかったときに、前記モード切換手段によらずに前記時刻設定モードから前記運転指示モードに切換えることを特徴とする請求項１記載のリモコン装置。
【請求項３】
前記運転指示モードにおいて、使用者の操作により前記タイマ運転の設定を指示するためのタイマ設定手段を備え、
前記強制モード設定手段は、前記計時初期値の設定操作がなされていない状態で、前記運転指示モードにおいて前記タイマ設定手段が操作されたときに、前記運転指示モードから前記時刻設定モードに切換えることを特徴とする請求項１又は請求項２記載のリモコン装置。
【発明の詳細な説明】
【技術分野】
【０００１】
本発明は、電池により作動し、時計機能とタイマ機能を備えたリモコン装置に関する。
【背景技術】
【０００２】
従来より、本体機器を遠隔操作するリモコン装置において、予め設定された時刻となったときに運転開始又は運転停止を指示する信号を本体機器に送信するタイマ機能を備えたものが知られている（例えば、特許文献１参照）。
【０００３】
そして、タイマ機能を実現するためには時計機能を有することが前提となるが、リモコン装置に電池を装着して使用を開始したときや、リモコン装置の電池を交換したときには、使用者は時計の計時初期値を現在時刻に設定する操作をする必要がある。そして、上記特許文献１に記載されたリモコン装置においては、リモコン装置に電池を装着した後、時計スイッチを操作して計時初期値の設定が可能な状態とした上で、上げスイッチ及び下げスイッチを操作して計時初期値を設定するという煩わしい作業を行わなければならないという不都合があった。
【特許文献１】特開平７−２６０９６３号公報
【発明の開示】
【発明が解決しようとする課題】
【０００４】
本発明は上記不都合を解消し、電池の装着時に、簡易な作業により時刻設定が可能なリモコン装置を提供することを目的とする。
【課題を解決するための手段】
【０００５】
本発明は上記目的を達成するためになされたものであり、電池により作動して機器本体の作動開始と作動停止を遠隔操作するリモコン装置であって、該機器本体との間で通信を行う通信手段と、使用者の操作により該機器本体の作動開始と作動停止を指示するための作動指示手段と、計時手段と、使用者の操作により該計時手段の計時初期値を設定するための時刻設定手段と、使用者の操作により、前記作動指示手段による指示が可能であって前記時刻設定手段による計時初期値の設定が不能な運転指示モードと、前記作動指示手段による作動指示が不能であって前記時刻設定手段による計時初期値の設定が可能な時刻設定モードとを切換えるモード切換手段と、前記作動指示手段が操作されたときに前記機器本体に対して運転開始又は運転停止を指示する制御信号を送信する運転制御手段と、前記計時手段による計時時刻が所定のタイマ設定時刻となったときに前記機器本体の運転開始又は運転停止を行うタイマ運転の設定をするタイマ制御手段とを備えたリモコン装置の改良に関する。
【０００６】
そして、電池が装着されたときに、前記モード切換手段によらずに前記時刻設定モードとする強制モード設定手段を備えたことを特徴とする。
【０００７】
かかる本発明によれば、リモコン装置の使用を開始するために電池を装着したとき、及び電池切れにより電池を交換したときに、前記強制モード設定手段により強制的に前記時刻設定モードに設定される。そのため、使用者は、前記モード切換手段により前記時刻設定モードに切換える操作を行うことなく、直ちに前記時刻設定手段を操作して前記計時手段の計時初期値を容易に設定することができる。
【０００８】
また、前記強制モード設定手段は、電池が装着された時点から所定時間内に、使用者により前記時刻設定手段による計時初期値の設定操作がなされなかったときに、前記モード切換手段によらずに前記時刻設定モードから前記運転指示モードに切換えることを特徴とする。
【０００９】
かかる本発明によれば、電池が装着された時点から前記所定時間内に前記時刻設定手段による計時初期値の設定操作がなされないときには、前記強制モード設定手段により前記時刻設定モードから前記運転指示モードに切換えられる。そのため、使用者が前記タイマ設定時刻に前記作動制御手段により作動開始又は作動停止を指示する制御信号が送信されることを望まず、前記計時手段による計時が不要である場合には、前記所定時間の経過により、前記作動指示手段による前記機器本体の作動開始と作動停止の指示を行うことが可能となる。この場合、使用者は、前記モード切換手段を操作して前記時刻設定モードから前記運転指示モードに切換える操作を行うことなく直ちに前記機器本体の作動指示を行うことができるため、使い勝手が良い。
【００１０】
また、前記運転指示モードにおいて、使用者の操作により前記タイマ運転の設定を指示するためのタイマ設定手段を備え、前記強制モード設定手段は、前記計時初期値の設定操作がなされていない状態で、前記運転指示モードにおいて前記タイマ設定手段が操作されたときに、前記運転指示モードから前記時刻設定モードに切換えることを特徴とする。
【００１１】
かかる本発明において前記タイマ運転を行うためには、前記計時初期値の設定操作がなされて前記計時手段による計時が実行されていることが前提となる。そこで、前記計時初期値の設定がなされていない状態で前記タイマ設定手段が操作されたときに、前記強制モード設定手段により前記運転指示モードから前記時刻設定モードに切換えて、直ちに計時初期値の設定が可能な状態にすることにより、使用者の使い勝手を向上させると共に、使用者に前記計時初期値の設定操作を促すことができる。
【発明を実施するための最良の形態】
【００１２】
本発明の実施の形態について、図１〜図６を参照して説明する。図１は本発明のリモコン装置の外観図、図２は図１に示したリモコン装置の構成図、図３〜図６は図１，２に示したリモコン装置の作動手順を示したフローチャートである。
【００１３】
図１を参照して、リモコン装置１は図示しないガス暖房機（本発明の機器本体に相当する）の作動を遠隔操作するものであり、電池ボックス１１に装着される電池を電源として作動する。
【００１４】
そして、リモコン装置１には、各種の表示がなされる液晶表示器２、暖房機の運転開始と運転停止を指示するＯＮ／ＯＦＦスイッチ３（本発明の作動指示手段に相当する）、ガス暖房機の暖房運転において、ガスバーナの燃料量を最小にしても室温が目標暖房温度を超えるときにガスバーナを消火し、室温が目標暖房温度よりも所定レベル低下したときにガスバーナを再点火する「Ａuto Ｏffモード」の設定／解除を指示するＡuto Ｏffスイッチ４、各スイッチの操作が不能な「チャイルドロック」状態の設定と解除を指示するＬockスイッチ５、設定値の増加を指示するＵpスイッチ６（本発明の時刻設定手段の機能を含む）、及び設定値の減少を指示するＤownスイッチ７（本発明の時刻設定手段の機能を含む）が備えられている。
【００１５】
さらに、リモコン装置１には、タイマ運転を設定するためのＴimer１スイッチ８（本発明のタイマ設定手段に相当する）とＴimer２スイッチ９（本発明のタイマ設定手段に相当する）、及びＵpスイッチ６とＤownスイッチ７による計時時刻の初期値の設定が可能でＯＮ／ＯＦＦスイッチ３の操作が不能な「時刻設定モード」と、Ｕpスイッチ６とＤownスイッチ７による計時時刻の初期値の設定が不能でＯＮ／ＯＦＦスイッチ３の操作が可能な「運転指示モード」とを切換えると共に、後述する計時時刻の初期値の確定とタイマ運転におけるＯＮ時間／ＯＦＦ時間を確定するためのＴime Ｓetスイッチ１０（本発明のモード切換手段の機能を含む）が備えられている。
【００１６】
また、液晶表示器２には、「チャイルドロック」の設定／解除に応じて点灯／消灯するＬock表示部２０、「Ａuto Ｏffモード」の設定／解除に応じて点灯／消灯するＡuto Ｏff表示部２１、目標暖房温度と計時時刻を切換表示するデータ表示部２２、データ表示部２２に目標暖房温度が表示されているときに点灯する温度表示部２３、データ表示部２２に計時時刻が表示されているときに点灯する時刻表示部２４、計時時刻の設定中に点灯する時刻設定表示部２５、後述する第１タイマ４０の設定状態を表示する第１タイマ表示部２６、及び後述する第２タイマ４１の設定状態を表示する第２タイマ表示部２７が備えられている。
【００１７】
次に、図２を参照して、リモコン装置１はマイクロコンピュータ２０により全体的な作動が制御され、各スイッチ３〜１０の操作信号がマイクロコンピュータ２０に入力される。また、マイクロコンピュータ２０から出力される表示制御信号により液晶表示器２の表示内容が変更され、マイクロコンピュータ２０から出力される運転制御信号が送信回路２１を介して機器本体に無線送信される。
【００１８】
そして、マイクロコンピュータ２０には、計時処理を行う計時手段３０、機器本体に対する運転開始と運転停止の指示を行う運転制御手段３１、タイマ運転の設定を行うタイマ制御手段３２、Ｔime Ｓetスイッチ１０の操作によらずに「時刻設定モード」と「運転指示モード」の設定を行う強制モード設定手段３３、タイマ運転に使用される第１タイマ４０と第２タイマ４１、及び強制モード設定手段３３による「時刻設定モード」から「運転指示モード」への切換等に使用される監視タイマ４２が備えられている。
【００１９】
次に、図３〜図６に示したフローチャートに従って、リモコン装置１の作動について説明する。リモコン装置１は、電池ボックス１１に電池が挿入されたとき（リモコン装置１の使用開始時、或いは電池交換時）に作動を開始する。そして、マイクロコンピュータ２０に備えられた強制モード設定手段３３は、Ｕpスイッチ６及びＤownスイッチ７の操作による計時手段３０の計時初期値の設定が可能な「時刻設定モード」とする。「時刻設定モード」において、マイクロコンピュータ２０は、ＳＴＥＰ１でデータ表示部２２に計時初期値（初期データはＡＭ１２：００）を表示すると共に、時刻表示部２５を点灯する。また、ＳＴＥＰ２で監視タイマ４２をスタートさせる。
【００２０】
このように、電池ボックス１１に電池が装着されてリモコン装置１が作動を開始したときに、強制モード設定手段３３により「時刻設定モード」に設定されるため、使用者はＴime Ｓetスイッチ１０を操作することなく、直ちにＵpスイッチ６とＤownスイッチ７を操作して計時初期値を設定することができる。
【００２１】
強制モード設定手段３３は、ＳＴＥＰ３〜ＳＴＥＰ６のループにより、ＳＴＥＰ４でＴime Ｓetスイッチ１０の操作の有無を確認し、ＳＴＥＰ５でＯＮ／ＯＦＦスイッチ３の操作の有無を確認し、ＳＴＥＰ６で監視タイマ４２のタイムアップの有無を確認しながら、ＳＴＥＰ３でＵpスイッチ６又はＤownスイッチ７の操作の有無を確認する。そして、ＳＴＥＰ３でＵpスイッチ６又はＤownスイッチ７が操作されたときに、ＳＴＥＰ１００に分岐する。
【００２２】
ＳＴＥＰ１００において、マイクロコンピュータ２０は、Ｕpスイッチ６の操作に応じてデータ表示部２２の表示時刻を進め、Ｄownスイッチ７の操作に応じてデータ表示部２２の表示時刻を遅らせる。そして、次のＳＴＥＰ１０１で監視タイマ４２をスタート（再スタート）させて、ＳＴＥＰ４に進む。また、ＳＴＥＰ４でＴime Ｓetスイッチ１０が操作されたときは、図５のＳＴＥＰ１１０に分岐する。そして、ＳＴＥＰ１１０で、計時手段３０はデータ表示部２２に表示された時刻を計時初期値として確定し、計時をスタートする。
【００２３】
続くＳＴＥＰ１１１〜ＳＴＥＰ１１７及びＳＴＥＰ１３０〜ＳＴＥＰ１３１は、第１タイマ４０によるタイマ運転において、ガス暖房機の作動を開始する時刻である「第１タイマＯＮ時刻」を設定する処理である。そして、マイクロコンピュータ２０は、ＳＴＥＰ１１１で第１タイマ表示部２６に「Timer1 Set ON」と点灯表示すると共に、データ表示部２２に「第１タイマＯＮ時刻」の現在の設定値（初期値はＡＭ６：００）を表示する。
【００２４】
また、続くＳＴＥＰ１１３〜ＳＴＥＰ１１６のループにより、マイクロコンピュータ２０は、ＳＴＥＰ１１３でＵpスイッチ６又はＤownスイッチ７の操作の有無を確認し、ＳＴＥＰ１１４でＯＮ／ＯＦＦスイッチ３の操作有無を確認し、ＳＴＥＰ１１５で監視タイマ４２のタイムアップの有無を確認しながら、ＳＴＥＰ１１６でＴime Ｓetスイッチ１０の操作の有無を確認する。
【００２５】
そして、ＳＴＥＰ１１３でＵpスイッチ６又はDownスイッチ７が操作されたときはＳＴＥＰ１３０に分岐し、マイクロコンピュータ２０は、Ｕpスイッチ６の操作に応じてデータ表示部２２に表示された時刻を進め、Ｄownスイッチ７の操作に応じてデータ表示部２２に表示された時刻を遅らせる。そして、続くＳＴＥＰ１３１で監視タイマ４２をスタート（再スタート）させて、ＳＴＥＰ１１４に進む。
【００２６】
また、ＳＴＥＰ１１４でＯＮ／ＯＦＦスイッチ３が操作されたとき、及びＳＴＥＰ１１５で監視タイマ４２がタイムアップしたときは図３のＳＴＥＰ７に進む。この場合は、「第１タイマＯＮ時刻」は変更されない。
【００２７】
一方、ＳＴＥＰ１１６でＴime Ｓetスイッチ１０が操作されたときには、ＳＴＥＰ１１７に進む。そして、マイクロコンピュータ３０は、データ表示部２２に表示されている時刻を新たな「第１タイマＯＮ時刻」に設定し、これにより「第１タイマＯＮ時間」の変更が確定する。
【００２８】
そして、マイクロコンピュータ２０は、引き続き、ＳＴＥＰ１１８の「第１タイマＯＦＦ時刻設定処理」、ＳＴＥＰ１１９の「第２タイマＯＮ時刻設定処理」、ＳＴＥＰ１２０の「第２ＯＦＦ時刻設定処理」を行って図３のＳＴＥＰ８に進み、ＯＮ／ＯＦＦスイッチ３の操作が可能な「運転指示モード」に切換える。
【００２９】
ここで、「第１タイマＯＦＦ時刻設定処理」、「第２タイマＯＮ時刻設定処理」、及び「第２タイマＯＦＦ時刻設定処理」の内容は、変更対象となる時刻（第１タイマＯＦＦ時刻、第２タイマＯＮ時刻、第２タイマＯＦＦ時刻）が異なる点を除いて、上述した「第１タイマＯＮ時刻設定処理」と同様であるので、説明を省略する。
【００３０】
なお、「第１タイマＯＦＦ時刻設定処理」においては第１タイマ表示部２６に「Timer1 Set OFF」と点灯表示され、「第２タイマＯＮ時刻設定処理」においては第２タイマ表示部２７に「Timer2 Set ON」と点灯表示され、「第２タイマＯＦＦ時刻設定処理」においては第２タイマ表示部２７に「Timer2 Set OFF」と点灯表示される。
【００３１】
そして、ＳＴＥＰ７に進んで「運転指示モード」に切換わったときに、マイクロコンピュータ２０は、時刻表示部２４を点灯して、データ表示部２２に計時手段３０による計時時刻を表示する。
【００３２】
また、図３のＳＴＥＰ３〜ＳＴＥＰ６のループにおいて、ＳＴＥＰ３でＵpスイッチ６又はＤownスイッチ７が操作されることなく、ＳＴＥＰ５でＯＮ／ＯＦＦスイッチ３が操作されたとき及びＳＴＥＰ６で監視タイマ４２がタイムアップしたときは、強制モード設定手段３３は「時刻設定モード」から「運転指示モード」に切換える。そして、マイクロコンピュータ２０は、ＳＴＥＰ７〜図４のＳＴＥＰ１３のループを実行する。
【００３３】
これにより、電池ボックス１１に電池が装着されてリモコン装置１が作動を開始した時点から、監視タイマ４２の設定時間（例えば９０秒、本発明の所定時間に相当する）が経過する前に、使用者がＵpスイッチ６又はＤownスイッチ７を操作しなかったとき、又は使用者がＯＮ／ＯＦＦスイッチ３を操作したときに、「時刻設定モード」から「運転指示モード」に切換る。
【００３４】
そのため、タイマ運転を利用せず、計時手段３０の計時初期値を設定する必要がない場合には、使用者は、電池の装着時から９０秒の経過を待つか、或いはＯＮ／ＯＦＦスイッチ３を操作することにより、ＯＮ／ＯＦＦスイッチ３を操作して暖房機の運転開始と運転停止の指示を行うことができるようになる。
【００３５】
ＳＴＥＰ７でＯＮ／ＯＦＦスイッチ３が操作されたときは、ＳＴＥＰ３０に進んで運転制御手段３１により「暖房運転の開始／停止処理」が実行される。「暖房運転の開始／停止処理」においては、ガス暖房機が停止状態にあるときにＯＮ／ＯＦＦスイッチ３が操作されたときに、運転制御手段３１は、運転開始を指示する信号を送信回路２１を介してガス暖房機に無線送信する。
【００３６】
一方、ガス暖房機が運転状態にあるときにＯＮ／ＯＦＦスイッチ３が操作されたときには、運転制御手段３１は、運転停止を指示する信号を送信回路２１を介してガス暖房機に無線送信する。なお、ガス暖房機の運転中、マイクロコンピュータ２０は、液晶表示器２の温度表示部２３を点灯すると共に、データ表示部２２に目標暖房温度を表示する。
【００３７】
また、ＳＴＥＰ８でＵpスイッチ６又はＤownスイッチ７が操作されたときは、ＳＴＥＰ４０に分岐して「目標暖房温度変更処理」が実行される。「目標暖房温度変更処理」においては、Ｕpスイッチ６及びＤownスイッチ７の操作内容に応じて、マイクロコンピュータ２０は目標暖房温度の設定を変更し、変更した目標暖房温度のデータを送信回路２１を介して暖房機に送信する。このとき、変更された目標暖房温度がデータ表示部２２に表示される。
【００３８】
また、図４のＳＴＥＰ９でＡuto Ｏffスイッチ４が操作されたときは、ＳＴＥＰ５０に分岐して運転制御手段３１により「Ａuto Ｏffモード設定／解除処理」が実行される。上述した「Ａuto Ｏffモード」が設定されていない状態でＡuto Ｏffスイッチ４が操作されたときは、運転制御手段３１はＡuto Ｏffの設定を指示する制御信号を送信回路２１を介して暖房機に無線送信する。
【００３９】
一方、既に「Ａuto Ｏffモード」が設定された状態でＡuto Ｏffスイッチ４が操作されたときには、運転制御手段３１は、Ａuto Ｏffの解除を指示する制御信号を送信回路２１を介して暖房機に無線送信する。そして、「Ａuto Ｏffモード」の設定／解除に応じて、Ａuto Ｏff表示部２１が点灯／消灯する。
【００４０】
また、図４のＳＴＥＰ１０でＬockスイッチ５が操作されたときは、ＳＴＥＰ６０に分岐して「チャイルドロック設定／解除処理」が実行される。「チャイルドロック」は幼児によるリモコン装置１の操作を禁止するためのものであり、Ｌockスイッチ５が押されたときに、マイクロコンピュータ２０は「チャイルドロック」を設定する。そして、「チャイルドロック」が設定された状態でＬockスイッチ５が長押しされたときに、マイクロコンピュータ２０は「チャイルドロック」を解除する。このとき、「チャイルドロック」の設定／解除に応じて、液晶表示器２のＬock表示部２０が点灯／消灯される。
【００４１】
また、図４のＳＴＥＰ１１でＴimer１スイッチ８が操作されたときは、ＳＴＥＰ７０に分岐してタイマ制御手段３２により「第１タイマによるタイマ運転設定処理」が実行される。「第１タイマによるタイマ運転設定処理」においては、「第１タイマＯＮ時刻」になったときにガス暖房機の運転を開始し、「第１タイマＯＦＦ時刻」になったときにガス暖房機の運転を停止するタイマ運転の設定がなされる。
【００４２】
このとき、マイクロコンピュータ２０は液晶表示器２の第１タイマ設定表示部２６に「Timer1」と点灯表示して、第１タイマ４０によるタイマ運転が設定されていることを報知する。なお、第１タイマ４０によるタイマ運転が設定された状態で、ＯＮ／ＯＦＦスイッチ３が操作されたときは、タイマ運転の設定が解除される。
【００４３】
図６は「第１タイマによるタイマ運転設定処理」の処理内容を示したフローチャートであり、マイクロコンピュータ２０は、先ず、ＳＴＥＰ１５０で計時手段３０による計時が既に開始されているか否かを判断する。そして、計時が開始されていたときは、ＳＴＥＰ１５１に進んで第１タイマによるタイマ運転設定をし、ＳＴＥＰ１５２に進んで処理を終了する。
【００４４】
一方、ＳＴＥＰ１５０で計時手段３０による計時が開始されていなかったときには、ＳＴＥＰ１６０に分岐し、強制モード設定手段３３により、「運転指示モード」から「時刻設定モード」に切換えられる。そして、マイクロコンピュータ２０は、上述した図３のＳＴＥＰ２〜ＳＴＥＰ６、ＳＴＥＰ１００〜ＳＴＥＰ１０１、及び図５に示した処理と同様にして、「計時初期値」と「第１タイマＯＮ時刻」と「第１タイマＯＦＦ時刻」と「第２タイマＯＮ時刻」と「第２タイマＯＦＦ時刻」を設定、変更する「計時時刻設定処理」を実行する。
【００４５】
また、図４のＳＴＥＰ１２でＴimer２スイッチ９が操作されたときは、ＳＴＥＰ８０に分岐してタイマ制御手段３２により「第２タイマによるタイマ運転設定処理」が実行される。「第２タイマによるタイマ運転設定処理」の処理内容は、上述した「第１タイマによるタイマ運転設定処理」と同様であり、「第２タイマＯＮ時刻」になったときにガス暖房機の運転を開始し、「第２タイマＯＦＦ時刻」になったときにガス暖房機の運転を停止するタイマ運転の設定がなされる。このとき、マイクロコンピュータ２０は液晶表示部２の第２タイマ設定表示部２７に「Timer2」と点灯表示して、第２タイマ４１によるタイマ運転が設定されていることを報知する。なお、第２タイマ４１によるタイマ運転が設定された状態で、ＯＮ／ＯＦＦスイッチ３が操作されたときは、タイマ運転の設定が解除される。
【００４６】
また、図４のＳＴＥＰ１３でＴime Ｓetスイッチ１０が操作されたときは、ＳＴＥＰ９０に進んで「時刻設定モード」に切換わり、「計時時刻変更処理」が実行される。「計時処理変更処理」においては、上述した図３のＳＴＥＰ２〜ＳＴＥＰ６、ＳＴＥＰ１００〜ＳＴＥＰ１０１、及び図５に示した処理と同様にして、「計時初期値」と「第１タイマＯＮ時刻」と「第１タイマＯＦＦ時刻」と「第２タイマＯＮ時刻」と「第２タイマＯＦＦ時刻」の変更処理が実行される。
【００４７】
なお、既に計時手段３０による計時が行われているときには、Ｕpスイッチ６又はＤownスイッチ７によるデータ表示部２２への時刻表示の変更操作がなされている間（図３のＳＴＥＰ３，ＳＴＥＰ１００の処理に相当する）も、データ表示部２２の時刻表示とは無関係に計時手段３０の計時は継続される。
【００４８】
そして、Ｔime Ｓetスイッチ１０の操作（図３のＳＴＥＰ４に相当）がされることなく、ＯＮ／ＯＦＦスイッチ３が操作（図３のＳＴＥＰ５に相当）されるか又は監視タイマ４２がタイムアップ（図３のＳＴＥＰ６に相当）して「運転指示モード」に切換わったときには、計時手段３０の計時時刻の変更は確定しない。そのため、計時手段３０の計時時刻は変更されず、それまでＵpスイッチ６又はＤownスイッチ７計時手段３０の操作に応じて変更されていたデータ表示部２２の時刻表示は、計時時刻の変更処理中も計時が継続されていた計時手段３０の計時時刻に切換わる。
【００４９】
なお、本実施の形態では、本発明の機器本体としてガス暖房機を遠隔操作するリモコン装置を示したが、電池により作動し、機器本体に対してタイマ運転の設定を遠隔操作するリモコン装置であれば本発明の適用が可能である。
【００５０】
また、本実施の形態では、図３のＳＴＥＰ３〜ＳＴＥＰ６のループにおいて、電池の装着時から所定時間内にＵpスイッチ６又はＤownスイッチ７が操作されなかったときに、強制モード設定手段３３により、ＳＴＥＰ６からＳＴＥＰ７に進んで「時刻設定モード」から「運転指示モード」に切換える処理を行ったが、かかる処理を行わない場合であっても本発明の効果を得ることができる。
【図面の簡単な説明】
【００５１】
【図１】本発明のリモコン装置の外観図。
【図２】図１に示したリモコン装置の構成図。
【図３】図１，２に示したリモコン装置の作動手順を示したフローチャート。
【図４】図１，２に示したリモコン装置の作動手順を示したフローチャート。
【図５】図１，２に示したリモコン装置の作動手順を示したフローチャート。
【図６】図１，２に示したリモコン装置の作動手順を示したフローチャート。
【符号の説明】
【００５２】
１…リモコン装置、２…液晶表示器、３…ＯＮ／ＯＦＦスイッチ、４…Ａuto Ｏffスイッチ、５…Ｌockスイッチ、６…Ｕpスイッチ、７…Ｄownスイッチ、８…Ｔimer１スイッチ、９…Ｔimer２スイッチ、１０…Ｔime Ｓetスイッチ、２０…マイクロコンピュータ、３０…計時手段、３１…運転制御手段、３２…タイマ制御手段、３３…強制モード設定手段
【図１】
2006112823.tif 000003
【図２】
2006112823.tif 000004
【図３】
2006112823.tif 000005
【図４】
2006112823.tif 000006
【図５】
2006112823.tif 000007
【図６】
2006112823.tif 000008